(57)【要約】  ワイヤレスデバイスが、第1の無線アクセス技術に従って送受信するように構成される第1の無線機および第1のトランシーバと、第2の無線アクセス技術に従って送受信するように構成される第2の無線機および第2のトランシーバと、第1の無線機および第2の無線機に接続された第1のアンテナおよび第2のアンテナと、スイッチと、第1および第2のアンテナの第1および第2の無線機への接続を構成するためにスイッチを制御するように構成される制御ユニットとを含む。制御ユニットは、所定のしきい値を下回る信号を、第2のアンテナを介して第2の無線機によって受信することに応答して、第2の無線機を第2のアンテナから切断し、第2の無線機のウェイクアップ期間中に第2の無線機を第1のアンテナに接続するために、スイッチを制御するように構成される。
2017515328.tif 000002
【特許請求の範囲】
【請求項１】
第1の無線アクセス技術に従って送受信するように構成される第1の無線機であって、第1のベースバンドプロセッサおよび第1のトランシーバを備える、第1の無線機と、
第2の無線アクセス技術に従って送受信するように構成される第2の無線機であって、第2のベースバンドプロセッサおよび第2のトランシーバを備える、第2の無線機と、
前記第1の無線機および前記第2の無線機に接続するように各々構成可能である、第1のアンテナおよび第2のアンテナと、
前記第1のアンテナおよび前記第2のアンテナならびに前記第1のトランシーバおよび前記第2のトランシーバと結合されるスイッチと、
前記第1のアンテナおよび前記第2のアンテナの前記第1のトランシーバおよび前記第2のトランシーバへの接続を構成するために前記スイッチを制御するように構成される制御ユニットであって、
前記第2のアンテナを介して前記第2の無線機によって、所定のしきい値を下回る信号を受信することに応答して、前記第2のアンテナから前記第2のトランシーバを切断するために前記スイッチを制御し、
前記第1の無線機をその現在のモードに維持し、
前記第2の無線機のウェイクアップ期間中に前記第1のアンテナに前記第2のトランシーバを接続するために前記スイッチを制御する
ように構成される、制御ユニットと
を備える、ワイヤレスデバイス。
【請求項２】
前記第2の無線機が前記第2のアンテナから切断されたときにアイドルモードでない場合、前記制御ユニットが、前記第2の無線機をアイドルモードに設定するようにさらに構成される、請求項1に記載のワイヤレスデバイス。
【請求項３】
前記第2の無線機の前記ウェイクアップ期間中に、前記制御ユニットが、
前記第1の無線機を前記第1のアンテナから切断し、
前記第2の無線機を前記第1のアンテナに接続し、
前記第2の無線機を前記第1のアンテナから切断し、
前記第2の無線機の前記ウェイクアップ期間の終わりに、前記第1の無線機を前記第1のアンテナに再接続する
ようにさらに構成される、請求項1に記載のワイヤレスデバイス。
【請求項４】
前記第1の無線機の前記受信信号が前記所定のしきい値を下回るが、第2の所定のしきい値を上回ると判定される場合、前記制御ユニットが、1つまたは複数のウェイクアップ期間をスキップするために前記第2の無線機を制御するようにさらに構成される、請求項1に記載のワイヤレスデバイス。
【請求項５】
前記制御ユニットが、前記第2の無線機がウェイクアップ期間中に許容信号品質を有する信号を受信することに応答して、前記第1のアンテナから前記第2の無線機を切断するとともに、次のウェイクアップ期間中に前記第2のアンテナで受信するために前記第2のアンテナに前記第2の無線機を接続するために前記スイッチを制御するようにさらに構成される、請求項1に記載のワイヤレスデバイス。
【請求項６】
前記制御ユニットが、前記第2の無線機が前記次のウェイクアップ期間中に前記第2のアンテナを介して許容信号品質を有する信号を受信することに応答して、前記第2のアンテナへの前記第2の無線機の前記接続を維持するようにさらに構成される、請求項5に記載のワイヤレスデバイス。
【請求項７】
前記第1の無線アクセス技術が、前記第2の無線アクセス技術とは異なる、請求項1に記載のワイヤレスデバイス。
【請求項８】
前記第1の無線アクセス技術が、広帯域符号分割多元接続(WCDMA)およびモバイル通信用グローバルシステム(GSM)のうちの一方であり、前記第2の無線アクセス技術が、WCDMAおよびGSMのうちの他方である、請求項7に記載のワイヤレスデバイス。
【請求項９】
各々割り当てられたアンテナを有する第1の無線機および第2の無線機を有するワイヤレスデバイスにおけるアンテナ選択のための方法であって、
前記第2の無線機に割り当てられた前記アンテナを介して受信される信号が所定のしきい値を下回るかどうかを判定するステップと、
前記受信信号が前記所定のしきい値を下回っていると判定することに応答して、前記第2の無線機をその割り当てられたアンテナから切断するステップと、
前記第1の無線機をその現在のモードに維持するステップと、
前記第2の無線機のウェイクアップ期間中に前記第1の無線機に割り当てられた前記アンテナに前記第2の無線機を接続するステップと
を含む、方法。
【請求項１０】
前記第2の無線機をその割り当てられたアンテナから切断するステップが、前記第2の無線機がアイドルモードでない場合、前記第2の無線機をアイドルモードに設定するステップをさらに含む、請求項9に記載の方法。
【請求項１１】
前記第2の無線機の前記ウェイクアップ期間中に前記第1の無線機に割り当てられた前記アンテナに前記第2の無線機を接続するステップが、
前記第1の無線機をその割り当てられたアンテナから切断するステップと、
前記第2の無線機を前記第1の無線機に割り当てられた前記アンテナに接続するステップと、
前記第2の無線機を前記第1の無線機に割り当てられた前記アンテナから切断するステップと、
前記第2の無線機の前記ウェイクアップ期間の終わりに、前記第1の無線機をその割り当てられたアンテナに再接続するステップと
を含む、請求項9に記載の方法。
【請求項１２】
前記第1の無線機の前記受信信号が前記所定のしきい値を下回るが、第2の所定のしきい値を上回ると判定される場合、1つまたは複数のウェイクアップ期間をスキップするステップをさらに含む、請求項9に記載の方法。
【請求項１３】
ウェイクアップ期間中に許容信号品質を有する信号を受信することに応答して、前記第1の無線機に割り当てられた前記アンテナから前記第2の無線機を切断するステップと、
次のウェイクアップ期間中に受信するために前記第2の無線機をその割り当てられたアンテナに再接続するステップと
をさらに含む、請求項9に記載の方法。
【請求項１４】
前記第2の無線機が前記次のウェイクアップ期間中にその割り当てられたアンテナを介して許容信号品質を有する信号を受信することに応答して、その割り当てられたアンテナへの前記第2の無線機の前記接続を維持するステップをさらに含む、請求項13に記載の方法。
【請求項１５】
前記第1の無線機が、第1の無線アクセス技術に従って送受信するように構成され、
前記第2の無線機が、第2の無線アクセス技術に従って送受信するように構成される、
請求項9に記載の方法。
【請求項１６】
前記第1の無線アクセス技術が、前記第2の無線アクセス技術とは異なる、請求項15に記載の方法。
【請求項１７】
前記第1の無線アクセス技術が、広帯域符号分割多元接続(WCDMA)およびモバイル通信用グローバルシステム(GSM)のうちの一方であり、前記第2の無線アクセス技術が、WCDMAおよびGSMのうちの他方である、請求項16に記載の方法。
【請求項１８】
第1の無線アクセス技術に従って送受信するように構成される第1の無線機と、
第2の無線アクセス技術に従って送受信するように構成される第2の無線機と、
第1のアンテナおよび第2のアンテナと、
前記第1の無線機および前記第2の無線機の各々を前記第1のアンテナおよび前記第2のアンテナのうちの一方に接続するように構成されるスイッチと、
前記第1のアンテナおよび前記第2のアンテナの前記第1の無線機および前記第2の無線機への接続を構成するために前記スイッチを制御するように構成される制御ユニットであって、
前記第2のアンテナを介して前記第2の無線機によって、所定のしきい値を下回る信号を受信することに応答して、前記第2のアンテナから前記第2の無線機を切断するために前記スイッチを制御し、
前記第2の無線機がアイドルモードでない場合、前記第2の無線機をアイドルモードに設定し、
前記第2の無線機のウェイクアップ期間中に、前記第2の無線機を前記第1のアンテナに接続し、前記第1の無線機を前記第1のアンテナから切断する
ように構成される、制御ユニットと
を備える、ワイヤレスデバイス。
【請求項１９】
前記制御ユニットが、前記第1のアンテナを使用して前記第2の無線機をチューンアウェイするようにさらに構成される、請求項18に記載のワイヤレスデバイス。
【請求項２０】
前記制御ユニットが、前記第2の無線機がウェイクアップ期間中に許容信号品質を有する信号を受信することに応答して、前記第1のアンテナから前記第2の無線機を切断するとともに、次のウェイクアップ期間中に前記第2のアンテナで受信するために前記第2のアンテナに前記第2の無線機を接続するために前記スイッチを制御するようにさらに構成される、請求項18に記載のワイヤレスデバイス。
【請求項２１】
前記制御ユニットが、前記第2の無線機が前記次のウェイクアップ期間中に前記第2のアンテナを介して許容信号品質を有する信号を受信することに応答して、前記第2のアンテナへの前記第2の無線機の前記接続を維持するようにさらに構成される、請求項20に記載のワイヤレスデバイス。
【請求項２２】
前記第1の無線機の前記受信信号が前記所定のしきい値を下回るが、第2の所定のしきい値を上回ると判定される場合、前記制御ユニットが、1つまたは複数のウェイクアップ期間をスキップするために前記第2の無線機を制御するようにさらに構成される、請求項18に記載のワイヤレスデバイス。
【請求項２３】
前記第1の無線アクセス技術が、前記第2の無線アクセス技術とは異なる、請求項18に記載のワイヤレスデバイス。
【請求項２４】
前記第1の無線アクセス技術が、広帯域符号分割多元接続(WCDMA)およびモバイル通信用グローバルシステム(GSM)のうちの一方であり、前記第2の無線アクセス技術が、WCDMAおよびGSMのうちの他方である、請求項23に記載のワイヤレスデバイス。
【請求項２５】
第1の無線アクセス技術に従って送受信するように構成される第1のベースバンドプロセッサおよび第1のトランシーバと、
第2の無線アクセス技術に従って送受信するように構成される第2のベースバンドプロセッサおよび第2のトランシーバと、
前記第1のトランシーバおよび前記第2のトランシーバにそれぞれ接続された第1のアンテナおよび第2のアンテナと、
前記第1のベースバンドプロセッサおよび前記第2のベースバンドプロセッサならびに前記第1のトランシーバおよび前記第2のトランシーバと結合されるスイッチと、
所定のしきい値を下回る信号を、前記第2のアンテナを介して前記第2のベースバンドプロセッサによって受信することに応答して、前記第1のトランシーバおよび前記第2のトランシーバの、前記第1のベースバンドプロセッサおよび前記第2のベースバンドプロセッサへの接続を構成するために、前記スイッチを制御する動作を行うように構成される制御ユニットであって、
前記第2の無線機を前記第2のトランシーバから切断するために前記スイッチを制御し、
前記第2のベースバンドプロセッサがアイドルモードでない場合、前記第2のベースバンドプロセッサをアイドルモードに設定し、
前記第2のベースバンドプロセッサを前記第1のトランシーバに接続し、
前記第2のベースバンドプロセッサのウェイクアップ期間中に、前記第1のベースバンドプロセッサを前記第1のトランシーバから切断する
ように構成される制御ユニットと
を備える、ワイヤレスデバイス。
【請求項２６】
前記制御ユニットが、前記第2の無線機の前記ウェイクアップ期間中に前記第2の無線アクセス技術に従って受信するように前記第1のトランシーバを再構成する、請求項25に記載のワイヤレスデバイス。
【請求項２７】
前記制御ユニットが、前記第2のベースバンドプロセッサがウェイクアップ期間中に許容信号品質を有する信号を受信することに応答して、前記第1のトランシーバから前記第2のベースバンドプロセッサを切断するとともに、次のウェイクアップ期間中に前記第2のアンテナで受信するために前記第2のトランシーバに前記第2のベースバンドプロセッサを接続するために前記スイッチを制御するように構成される、請求項25に記載のワイヤレスデバイス。
【請求項２８】
前記制御ユニットが、前記第2のベースバンドプロセッサが前記次のウェイクアップ期間中に前記第2のアンテナを介して許容信号品質を有する信号を受信することに応答して、前記第2のトランシーバへの前記第2のベースバンドプロセッサの前記接続を維持するように構成される、請求項27に記載のワイヤレスデバイス。
【請求項２９】
前記第1の無線機の前記受信信号が前記所定のしきい値を下回るが、第2の所定のしきい値を上回ると判定される場合、前記制御ユニットが、1つまたは複数のウェイクアップ期間をスキップするために前記第2の無線機を制御するように構成される、請求項25に記載のワイヤレスデバイス。
【請求項３０】
前記第1の無線アクセス技術が、前記第2の無線アクセス技術とは異なる、請求項25に記載のワイヤレスデバイス。
【請求項３１】
前記第1の無線アクセス技術が、広帯域符号分割多元接続(WCDMA)およびモバイル通信用グローバルシステム(GSM)のうちの一方であり、前記第2の無線アクセス技術が、WCDMAおよびGSMのうちの他方である、請求項30に記載のワイヤレスデバイス。
【発明の詳細な説明】
【技術分野】
【０００１】
本発明は、複数のワイヤレス接続のための単一アンテナ共用に関する。
【背景技術】
【０００２】
ワイヤレス通信デバイス(本明細書では「ユーザ機器」または「UE」とも呼ばれる)の性能を向上させるために、アンテナ切替えを使用することができる。アンテナがブロックされるとき、ハンドヘルドデバイスは著しい性能低下に見舞われる可能性があるので、アンテナ切替えは、ハンドヘルドデバイスには特に有用である。いくつかの極端な場合には、アンテナがブロックされた結果として、ワイヤレス通信が完全に停止される可能性がある。UEが所与の瞬間に1つの無線をサポートするにすぎない場合、性能低下問題は、一次送信/受信機能をブロックされていないアンテナに切り替えるという従来の切替え方策によって緩和することができる。しかしながら、UEが、たとえば、モバイル電気通信用グローバルシステム(GSM(登録商標):Global System for Mobile telecommunications)無線機および広帯域符号分割多元接続(WCDMA(登録商標):Wideband Code Division Multiple Access)無線機など、複数の無線機を同時にサポートする場合、知られているそのような切替え方策の重大な欠点は、そのような切替えを用いた場合でも、アンテナがブロックされた結果として1つの無線機が依然として使用不可能である場合があるということである。
【発明の概要】
【課題を解決するための手段】
【０００３】
ワイヤレスデバイスにおけるアンテナ切替えのためのワイヤレスデバイス、システム、および方法が提供される。
【０００４】
第1の態様によれば、ワイヤレスデバイスが、第1の無線アクセス技術の第1のベースバンドプロセッサ、および第1の無線アクセス技術に従って送受信するように構成される第1のトランシーバと、第2の無線アクセス技術の第2のベースバンドプロセッサ、および第2の無線アクセス技術に従って送受信するように構成される第2のトランシーバと、第1のトランシーバおよび第2のトランシーバに接続するように各々構成可能である第1のアンテナおよび第2のアンテナと、第1の無線機および第2の無線機と結合されるスイッチと、第1および第2のアンテナの第1および第2のトランシーバへの接続を構成するためにスイッチを制御するように構成される制御ユニットとを含んでよい。
【０００５】
この態様では、制御ユニットは、第2の無線機によって所定のしきい値を下回る信号を受信することに応答して、第2のトランシーバを第2のアンテナから切断し、第1の無線機をその現在のモードに維持し、第2の無線のウェイクアップ期間中に第2のトランシーバを第1のアンテナに接続するために、スイッチを制御するように構成されてよい。
【０００６】
別の態様によれば、ワイヤレスデバイスにおけるアンテナ切替えの方法が、第2の無線アクセス技術に割り当てられたアンテナを介して受信された信号が所定のしきい値を下回るかどうかを判定するステップと、受信された信号が所定のしきい値を下回ることに応答して第2の無線アクセス技術をその割り当てられたアンテナから切断するステップと、第1の無線アクセス技術をその現在のモードに維持するステップと、第2の無線アクセス技術のウェイクアップ期間中に第2の無線アクセス技術を第1の無線アクセス技術に割り当てられたアンテナに接続するステップとを含んでよい。
【０００７】
別の態様によれば、ワイヤレスデバイスが、第1の無線アクセス技術に従って送受信するように構成される第1の無線機と、第2の無線アクセス技術に従って送受信するように構成される第2の無線機と、第1のアンテナおよび第2のアンテナと、第1の無線機および第2の無線機の各々を第1のアンテナおよび第2のアンテナのうちの一方に接続するように構成されるスイッチと、第1および第2のアンテナの第1および第2のトランシーバへの接続を構成するためにスイッチを制御するように構成される制御ユニットとを含んでよい。この態様では、制御ユニットは、所定のしきい値を下回る信号を、第2のアンテナを介して第2の無線機によって受信することに応答して、第2の無線機を第2のアンテナから切断し、第2の無線機がアイドルモードでない場合、第2の無線機をアイドルモードに設定し、第2の無線機のウェイクアップ期間中に第1の無線機を第1のアンテナから切断し、第2の無線機を第1のアンテナに接続するためにスイッチを制御してよい。
【０００８】
別の態様によれば、ワイヤレスデバイスが、第1の無線アクセス技術の第1のベースバンドプロセッサ、および第1の無線アクセス技術に従って送受信するように構成される第1のトランシーバと、第2の無線アクセス技術の第2のベースバンドプロセッサ、および第2の無線アクセス技術に従って送受信するように構成される第2のトランシーバと、第1のトランシーバおよび第2のトランシーバにそれぞれ接続された、第1のアンテナおよび第2のアンテナと、第1および第2のベースバンドプロセッサならびに第1および第2のトランシーバと結合されるスイッチと、第1および第2のトランシーバの第1および第2のベースバンドプロセッサへの接続を構成するためにスイッチを制御するように構成される制御ユニットとを含んでよい。この態様では、制御ユニットは、所定のしきい値を下回る信号を、第2のアンテナを介して第2のベースバンドプロセッサによって受信することに応答して、第2のベースバンドプロセッサを第2のトランシーバから切断し、第2のベースバンドプロセッサがアイドルモードでない場合、第2のベースバンドプロセッサをアイドルモードに設定し、第1のベースバンドプロセッサを第1のトランシーバから切断するためにスイッチを制御し、第2のベースバンドプロセッサを第1のトランシーバに接続し、第2のベースバンドプロセッサのウェイクアップ期間中に第2の無線アクセス技術に従って第1のトランシーバを構成する。
【０００９】
別の態様によれば、通信システムが、複数の無線アクセス技術ネットワークと、1つまたは複数のワイヤレスデバイスとを含んでよく、複数のデバイスの各デバイスが、複数の無線アクセス技術ネットワークの少なくとも1つと通信し、複数のアンテナがデバイスに備え付けられ、各々が少なくとも1つの無線アクセス技術に割り当てられ、制御ユニットが、複数の無線アクセス技術の複数のアンテナへの接続を制御するように構成される。この態様では、制御ユニットは、第1の無線アクセス技術と関連付けられた通信ネットワークの1つからその割り当てられたアンテナを介して複数の無線アクセス技術のうちの第1の無線アクセス技術が、所定のしきい値を下回る信号を受信することに応答して、第1の無線アクセス技術をその割り当てられたアンテナから切断し、現在のモードの第2の無線アクセス技術のその割り当てられたアンテナへの接続を維持しながら、複数の無線アクセス技術のうちの第2の無線アクセス技術に割り当てられたアンテナを共用するために、第1の無線アクセス技術を接続するようにスイッチを制御し、第1の無線アクセス技術がアイドルモードでない場合、第1の無線アクセス技術をアイドルモードに設定してよい。
【００１０】
本明細書に組み込まれ、本明細書の一部を構成する添付図面は、本発明の例示的な実施形態を示し、上記の一般的な説明および以下の詳細な説明とともに、本発明の特徴を説明するのに役立つ。
【図面の簡単な説明】
【００１１】
【図１】本開示の様々な実施形態によるワイヤレスデバイスの機能ブロック図である。
【図２】本開示の様々な実施形態によるワイヤレスデバイスの機能ブロック図である。
【図３】本開示の様々な実施形態によるデュアル無線ワイヤレスデバイスにおけるアンテナ選択のための方法を示すフローチャートである。
【図４】本開示の様々な実施形態によるデュアル無線ワイヤレスデバイスにおけるアンテナ選択のための方法を示すフローチャートである。
【発明を実施するための形態】
【００１２】
いくつかの実施形態について説明するが、これらの実施形態は、単に例として提示され、保護の範囲を限定することを意図していない。本明細書で説明する装置、方法、およびシステムは、様々な他の形で具体化されてよい。さらに、保護の範囲から逸脱することなく、本明細書で説明する例示的な方法およびシステムの形における様々な省略、置換、および変更が行われてもよい。
【００１３】
本発明の概念は、他のアンテナがワイヤレスデバイス上でブロックされるときに、1つの実行可能なアンテナを2つの無線機のために使用するための装置、システム、および方法を提供する。
【００１４】
図1は、本発明の概念の実施形態例によるワイヤレスデバイスの機能ブロック図である。図1を参照すると、ワイヤレスデバイス100は、第1のアンテナ105と、第2のアンテナ110とを含む。第1のアンテナ105および第2のアンテナ110は、第1の無線周波数(RF)スイッチ115に結合される。第1のRFスイッチ115は、第1のアンテナ105および第2のアンテナ110を、第1および第2のRFトランシーバ150、155に結合するように動作可能である。第1のトランシーバ150は、GSM無線アクセス技術など、第1の無線アクセス技術(第1の無線機とも呼ばれる)のベースバンドプロセッサ160から信号を受信し、またこのベースバンドプロセッサ160に信号を供給する。第2のトランシーバ155は、WCDMA無線アクセス技術など、第2の無線アクセス技術(第2の無線機とも呼ばれる)のベースバンドプロセッサ165から信号を受信し、またこのベースバンドプロセッサ165に信号を供給する。
【００１５】
制御ユニット170が、限定はしないが、許容受信信号品質(たとえば、限定はしないが、基準信号受信電力(RSRP)、受信信号コード電力(RSCP)、受信信号強度インジケータ(RSSI)、および信号対雑音(SNR))の決定、無線制御、アンテナ切替えなどを含む、ワイヤレスデバイス100の動作を制御する。制御ユニット170は、たとえば、限定はしないが、プロセッサ実行可能命令、特定用途向け集積回路(ASIC)/フィールドプログラマブルゲートアレイ(FPGA)、または専用ハードウェアで構成されるプロセッサとして実装されるプログラマブルデバイスであってよい。
【００１６】
図1に示す実施形態例では、アンテナ(たとえば、第2のアンテナ110)がブロックされた結果、受信信号が所定のしきい値を下回る場合、または、たとえばワイヤレスデバイス上のユーザの手の位置に起因するアンテナにおける減衰の結果として、微弱受信および/もしくは無線リンク障害(RLF)によってトリガされた、S基準不合格(failing S-criteria)、ネイバーセルサーチもしくは周波数スキャンなどの保留イベントがある場合、第1のRFスイッチ115の制御により、実行可能な第1のアンテナ105を使用して、GSMまたはWCDMA無線アクセス技術ベースバンドプロセッサ160、165の一方の送信/受信(Tx/Rx)動作、および他方の無線アクセス技術ベースバンドプロセッサの受信(Rx)動作が可能になる。
【００１７】
無線機は、アイドルモードまたはアクティブモードである場合がある。アイドルモードでは、無線機は信号を受信するが、送信しない。アクティブモードでは、無線機は信号を受信し、送信する。無線機は、低い信号品質(低SNR)もしくは低い信号強度(低RSSI、RSRP、RSCPなど)および/またはブロードキャストチャネル(BCH)もしくはページングチャネル(PCH)の復号失敗により、アクティブモードからアイドルモードに設定される場合がある。
【００１８】
実行可能なアンテナを共用するとき、その指定されたアンテナの停止に遭った無線機は、ダウンリンク(DL)信号に観測されるタイミングおよび周波数オフセット、無線ネットワーク一時識別子(RNTI)、セルIDなどを含む、停止前に取得した情報を使用して、新たに共用されるアンテナにチューンアウェイすることになる。
【００１９】
チューンアウェイは、アイドルモードの無線機のウェイクアップ期間中にのみ行われる。チューンアウェイ中に、RFスイッチ115は、実行可能なアンテナから一方の無線アクセス技術のトランシーバを切断し、他方の無線アクセス技術のトランシーバを実行可能なアンテナに接続するように構成されてよい。たとえば、第2のアンテナ110がブロックされると仮定すると、WCDMA無線アクセス技術ベースバンドプロセッサ165は、以前にアクティブモードであった場合、アイドルモードに設定されてよい。制御ユニット170は、ブロックされたアンテナ110から第1のトランシーバ(WCDMAトランシーバとも呼ばれる)155を切断するようにRFスイッチ115を構成してよい。
【００２０】
WCDMA無線アクセス技術ベースバンドプロセッサ165のウェイクアップ期間中に、制御ユニット170は、実行可能なアンテナ105から第2のトランシーバ(GSMトランシーバとも呼ばれる)150を切断し、WCDMAトランシーバ155を実行可能なアンテナ105に接続するようにRFスイッチ115を構成してよい。WCDMA無線アクセス技術ベースバンドプロセッサ165のウェイクアップ期間の終わりに、制御ユニット170は、実行可能なアンテナ105からWCDMA無線アクセス技術ベースバンドプロセッサ165を切断し、GSMトランシーバ150を実行可能なアンテナ105に再接続するように、RFスイッチ115を構成してよい。
【００２１】
図2は、本開示の様々な実施形態によるワイヤレスデバイスの機能ブロック図である。図2では、図1中の要素と同じ要素が、同様の参照番号で示され、同様の機能を果たす。図2の実施形態例に含まれない、図1に示した実施形態例の要素は、図2には示していない。
【００２２】
図2を参照すると、第2のスイッチ215が、第1のトランシーバ150によって出力された第1のアンテナ105によって受信された信号を、第1の無線アクセス技術(この例では、GSM無線アクセス技術ベースバンドプロセッサ160)か、第2の無線アクセス技術(この例では、WCDMA無線アクセス技術ベースバンドプロセッサ165)のいずれかに結合するように動作可能である。第2のスイッチ215は、本発明の概念の範囲から逸脱することなく、どちらか一方のアンテナからどちらか一方の無線アクセス技術へ信号を結合するように構成されてよいことは、当業者には了解されよう。
【００２３】
受信信号が所定のしきい値を下回る場合、または1つのアンテナがブロックされている(たとえば、第2のアンテナ110)ので、微弱受信および/もしくはRLFによってトリガされた、S基準不合格、ネイバーセルサーチ、または周波数スキャンなどの保留中のイベントがある場合、第2のスイッチ215の制御により、実行可能な第1のアンテナ105を使用して、アクティブモードのGSMまたはWCDMA無線アクセス技術の一方の送信/受信(Tx/Rx)動作、およびチューンアウェイ中のアイドルモードの他方の無線アクセス技術の受信(Rx)動作が可能になる。
【００２４】
チューンアウェイは、アイドルモードの無線アクセス技術のウェイクアップ期間中にのみ行われる。チューンアウェイ中に、第2のスイッチ215は、実行可能なアンテナから一方の無線アクセス技術を切断し、他方の無線アクセス技術を実行可能なアンテナに接続するように構成される。たとえば、第2のアンテナ110がブロックされると仮定すると、WCDMA無線アクセス技術ベースバンドプロセッサ165は、以前にアクティブモードであった場合、アイドルモードに設定されてよい。制御ユニット170は、WCDMAトランシーバ155からWCDMA無線アクセス技術ベースバンドプロセッサ165を切断し、それによってブロックされたアンテナ110からWCDMA無線アクセス技術ベースバンドプロセッサ165を切断するように、第2のスイッチ215を構成してよい。
【００２５】
WCDMA無線アクセス技術ベースバンドプロセッサ165のウェイクアップ期間中に、制御ユニット170は、GSM無線アクセス技術ベースバンドプロセッサ160を、実行可能なアンテナ105に接続されたGSMトランシーバ150から切断し、実行可能なアンテナ105に接続されたGSMトランシーバ150に、WCDMA無線アクセス技術ベースバンドプロセッサ165を接続するように、第2のスイッチ215を構成してよい。制御ユニット170は、WCDMA無線アクセス技術ベースバンドプロセッサ165がWCDMAネットワークから信号を受信することを可能にするようにGSMトランシーバ150を再構成してよい。
【００２６】
WCDMA無線アクセス技術ベースバンドプロセッサ165のウェイクアップ期間の終わりに、制御ユニット170は、実行可能なアンテナ105に接続されたGSMトランシーバ150からWCDMA無線機165を切断し、GSMトランシーバ150をGSM無線アクセス技術ベースバンドプロセッサ160に再接続するように、第2のスイッチ215を構成してよい。制御ユニット170は、GSMネットワークにチューンバックする(tune back)ようにGSMトランシーバ150を再構成してよい。
【００２７】
図3は、本開示の様々な実施形態によるデュアル無線ワイヤレスデバイスにおけるアンテナ選択のための方法を示すフローチャートである。図1および図3を参照すると、ワイヤレスデバイス100は、アンテナ105、110でGSM信号およびWCDMA信号を受信する(310)。
【００２８】
制御ユニット170は、アンテナの1つ(この例では、第2のアンテナ110)で受信された信号が、たとえば、限定はしないが、低い信号強度(RSRP、RSCPなど)および/またはBCHもしくはPCHの復号失敗などにより、許容受信について所定のしきい値を下回ると判定する場合がある(320)。低い受信信号強度は、たとえば、ワイヤレスデバイス上のユーザの手の位置に起因するアンテナにおける減衰により生じる場合がある。
【００２９】
アンテナの一方(この例では、第2のアンテナ110)で受信された信号が所定のしきい値を下回る場合、制御ユニット170は、第2のアンテナ110に割り当てられた無線アクセス技術のトランシーバ(この例では、WCDMAトランシーバ155)をそのアンテナから切断するようにRFスイッチ115を構成し(325)、他方の無線アクセス技術(この例では、GSM無線アクセス技術ベースバンドプロセッサ160)が、その現在のモードのままでありながら、無線機がまだアイドルモードでない場合、無線アクセス技術をアイドルモードに設定する(330)。
【００３０】
WCDMA無線アクセス技術ベースバンドプロセッサ165(図中の「BBプロセッサ」)のウェイクアップ期間中には、制御ユニット170は、GSM無線アクセス技術用のトランシーバ150を実行可能な第1のアンテナ105から切断し、WCDMA無線アクセス技術用のトランシーバ155を実行可能な第1のアンテナ105に接続するように、第1のRFスイッチ115を構成する(340)。
【００３１】
WCDMA無線機165は、DL信号に観測されるタイミングおよび周波数オフセット、RNTI、セルIDなどを含む、停止前に取得した情報を使用して、新たに共用されるアンテナでWCDMAネットワークからの信号を受信する。WCDMA無線アクセス技術のウェイクアップ期間の終わりには、制御ユニット170は、WCDMA無線アクセス技術用のトランシーバ155を実行可能なアンテナ105から切断し、GSM無線アクセス技術用のトランシーバ150を実行可能なアンテナ105に再接続するように、RFスイッチ115を構成する(350)。
【００３２】
実行可能な第1のアンテナ105を共用する間に、WCDMAトランシーバ155および無線アクセス技術ベースバンドプロセッサ165が、ウェイクアップ期間中に、許容信号品質を有する信号、すなわち受信のための適切な電力を有する信号を受信する場合(360-Y)、制御ユニット170は、次のウェイクアップ期間中に共用されていない第2のアンテナ110で受信するためにWCDMAトランシーバ155および無線アクセス技術ベースバンドプロセッサ165を結合するように、第1のRFスイッチ115を構成する(370)。WCDMAトランシーバ155および無線アクセス技術ベースバンドプロセッサ165が、次のウェイクアップ期間中に共用されていない第2のアンテナ110で許容信号品質を有する信号を受信する場合(380-Y)、WCDMAトランシーバ155および無線アクセス技術ベースバンドプロセッサ165は、共用されていない第2のアンテナ110で通常動作を再開する(390)。
【００３３】
そうでない場合(380-N)、制御ユニット170は、次のWCDMA無線アクセス技術ベースバンドプロセッサ165のウェイクアップ期間中に実行可能な第1のアンテナ105で受信する(340)ためにWCDMA無線機165を結合するように、第1のRFスイッチ115を構成し、アンテナ共用が継続する。いくつかの実施形態では、アクティブモード無線機の受信信号品質が、たとえば、一般的に呼中断が発生するレベルの数dB(たとえば、約3dB以内)以内のSNRを有し、限界に近い(所定のしきい値を下回るが、第2の所定のしきい値を上回る)場合、アクティブモード無線機による受信への影響を最小限に抑えるために、アイドルモード無線機のウェイクアップ期間の1つまたは複数はスキップされてよい。
【００３４】
図4は、本開示の様々な実施形態によるデュアル無線ワイヤレスデバイスにおけるアンテナ選択のための方法を示すフローチャートである。図2および図4を参照すると、ワイヤレスデバイス200は、アンテナ105、110でGSM信号およびWCDMA信号を受信する(410)。
【００３５】
制御ユニット170は、アンテナの1つ(この例では、第2のアンテナ110)で受信された信号が、たとえば、限定はしないが、低い信号強度(低いRSSI、RSRP、RSCPなど)および/またはBCHもしくはPCHの復号失敗などにより、許容受信について所定のしきい値を下回ると判定する場合がある(420)。低い受信信号強度は、たとえば、ワイヤレスデバイス上のユーザの手の位置によって引き起こされるアンテナにおける減衰により生じる場合がある。
【００３６】
アンテナの1つ(この例では、第2のアンテナ110)で受信される信号が所定のしきい値を下回る場合、制御ユニット170は、ベースバンドプロセッサ(この例では、WCDMA無線アクセス技術ベースバンドプロセッサ165)を、ブロックされたアンテナ110に接続されたトランシーバ(この例では、第2のトランシーバ、WCDMAトランシーバ155とも呼ばれる)から切断するように第2のスイッチ215を構成し(425)、他の無線アクセス技術ベースバンドプロセッサ(この例では、GSM無線アクセス技術ベースバンドプロセッサ160)がその現在のモードのままでありながら、無線機がまだアイドルモードでない場合、無線アクセス技術ベースバンドプロセッサをアイドルモードに設定する(430)。
【００３７】
WCDMA無線アクセス技術ベースバンドプロセッサ165のウェイクアップ期間中に、制御ユニット170は、実行可能な第1のアンテナ105に接続されたトランシーバ(この例では、第1のトランシーバ、GSMトランシーバ150とも呼ばれる)をGSM無線アクセス技術ベースバンドプロセッサ160から切断し、WCDMA無線アクセス技術ベースバンドプロセッサ165をGSMトランシーバ150に接続するように、第2のスイッチ215を構成する(440)。制御ユニット170は、WCDMA無線アクセス技術ベースバンドプロセッサ165がWCDMAネットワークから信号を受信することを可能にするために、適切な無線アクセス技術、この例ではWCDMAにチューンアウェイするように、GSMトランシーバ150を再構成する(445)。チューンアウェイは、アイドルモードの無線機の無線アクセス技術に対して行われることは、当業者には了解されよう。
【００３８】
WCDMA無線アクセス技術ベースバンドプロセッサ165は、DL信号に観測されるタイミングおよび周波数オフセット、RNTI、セルIDなどを含む、停止前に取得した情報を使用して、新たに共用されるアンテナでWCDMAネットワークからの信号を受信する。WCDMA無線アクセス技術ベースバンドプロセッサ165のウェイクアップ期間の終わりに、制御ユニット170は、GSMトランシーバ150をWCDMA無線アクセス技術ベースバンドプロセッサ165から切断し、GSMトランシーバ150をGSM無線アクセス技術ベースバンドプロセッサ160に再接続するように、第2のスイッチ215を構成し、GSMトランシーバ150をGSMモードに戻して再構成し、それによってGSM無線アクセス技術ベースバンドプロセッサ160を実行可能なアンテナ105に再接続する(450)。
【００３９】
実行可能な第1のアンテナ105を共用する間に、WCDMA無線アクセス技術ベースバンドプロセッサ165が、ウェイクアップ期間中に、許容信号品質を有する信号、すなわち受信のための適切な電力を有する信号を受信する場合(460-Y)、制御ユニット170は、次のウェイクアップ期間中に共用されていない第2のアンテナ110で受信するためにWCDMAトランシーバ155にWCDMA無線アクセス技術ベースバンドプロセッサ165を結合するように、第2のスイッチ215を構成する(470)。WCDMA無線アクセス技術ベースバンドプロセッサ165が、次のウェイクアップ期間中に共用されていない第2のアンテナ110で許容信号品質を有する信号を受信する場合(480-Y)、WCDMA無線アクセス技術ベースバンドプロセッサ165は、共用されていない第2のアンテナ110で通常動作を再開する(490)。
【００４０】
そうでない場合(480-N)、制御ユニット170は、次のWCDMA無線アクセス技術ベースバンドプロセッサ165のウェイクアップ期間中に実行可能な第1のアンテナ105で受信するためにWCDMA無線アクセス技術ベースバンドプロセッサ165を結合するように、第2のスイッチ215を構成し(440)、アンテナ共用が継続する。いくつかの実施形態では、アクティブモード無線機の受信信号品質が、たとえば、一般的に呼中断(call drop)が発生するレベルの数dB以内(たとえば、約3dB以内)のSNRを有し、限界に近い場合、アクティブモード無線機による受信への影響を最小限に抑えるために、アイドルモード無線機のウェイクアップ期間の1つまたは複数はスキップされてよい。
【００４１】
特定の構成で動作する、2つの無線機および2つのアンテナを使用する実施形態例を示し、説明したが、本発明の概念の範囲は、複数の無線機および複数のアンテナを有するおよび/または他の構成で動作するデバイスに及ぶこともまた、当業者には了解されよう。
【００４２】
いくつかの実施形態について説明したが、これらの実施形態は、単に例として提示されており、保護の範囲を限定するものではない。本明細書で説明する装置、方法、およびシステムは、様々な他の形で具体化されてよい。保護の趣旨から逸脱することなく、本開示で説明する例示的な装置、方法、およびシステムの形における様々な省略、置換、および変更が行われてもよい。
【００４３】
添付の特許請求の範囲およびそれらの均等物は、保護の範囲および趣旨内に入る形または変更形態を含むものとする。たとえば、本明細書で開示する例示的な装置、方法、およびシステムは、複数の通信ネットワークおよび/または通信技術に加入するマルチSIMワイヤレスデバイスに適用されることが可能である。図に示した様々な構成要素は、たとえば、限定はしないが、プロセッサ、ASIC/FPGA/DSP、または専用ハードウェア上にソフトウェアおよび/またはファームウェアとして実装されてよい。また、上記に開示する特定の実施形態例の特徴および特質は、さらなる実施形態を形成するために異なる方法で組み合わされてもよく、その実施形態のすべてが、本開示の範囲内に入る。
【００４４】
上記の方法の説明およびプロセスフロー図は、例示的な例として与えられるものにすぎず、様々な実施形態のステップが、提示された順序で実施されなければならないことを要求または示唆するものではない。当業者には了解されるように、前述の実施形態でのステップの順序は、任意の順序で実行されてよい。「その後」、「次いで」、「次に」などの語は、ステップの順序を限定するものではなく、これらの語は単に、方法の説明を通じて読者を誘導するために使用されるものである。さらに、たとえば、冠詞“a”、“an”、または“the”を使用する、単数形での請求項の要素へのいかなる言及も、要素を単数形に限定するものとして解釈されるべきではない。
【００４５】
本明細書において開示された実施形態に関連して説明した様々な例示的な論理ブロック、モジュール、回路、およびアルゴリズムステップは、電子ハードウェア、コンピュータソフトウェア、またはその両方の組合せとして実装されてよい。ハードウェアおよびソフトウェアのこの互換性を明確に説明するために、様々な例示的な構成要素、ブロック、モジュール、回路、およびステップは、それらの機能の観点から一般に上記で説明されている。そのような機能が、ハードウェアとして実現されるか、ソフトウェアとして実現されるかは、具体的な適用例およびシステム全体に課せられる設計制約によって決まる。当業者は、説明された機能を、特定の適用例ごとに様々なやり方で実施することができるが、そのような実施態様の決定は、本開示の範囲からの逸脱を引き起こすと解釈されるべきではない。
【００４６】
本明細書で開示する態様に関して説明する様々な例示的なロジック、論理ブロック、モジュール、および回路を実装するために使用されるハードウェアは、汎用プロセッサ、デジタル信号プロセッサ(DSP)、特定用途向け集積回路(ASIC)、フィールドプログラマブルゲートアレイ(FPGA)もしくは他のプログラマブル論理デバイス、ディスクリートゲートもしくはトランジスタロジック、ディスクリートハードウェア構成要素、または本明細書で説明する機能を実行するように設計されたそれらの任意の組合せを用いて実現または実行されてよい。汎用プロセッサは、マイクロプロセッサであってもよいが、代替として、プロセッサは、任意の従来のプロセッサ、コントローラ、マイクロコントローラ、またはステートマシンであってもよい。プロセッサは、たとえばDSPとマイクロプロセッサの組合せ、複数のマイクロプロセッサ、DSPコアと連結した1つまたは複数のマイクロプロセッサ、または任意の他のこのような構成など、受信機デバイスの組合せとしても実装されてよい。あるいは、いくつかのステップまたは方法は、所与の機能に固有の回路によって実行されてもよい。
【００４７】
1つまたは複数の例示的な態様では、説明される機能は、ハードウェア、ソフトウェア、ファームウェア、またはそれらの任意の組合せで実装されてもよい。ソフトウェアで実装される場合、機能は、非一時的コンピュータ可読記憶媒体または非一時的プロセッサ可読記憶媒体上に1つまたは複数の命令またはコードとして記憶されてもよい。本明細書で開示された方法またはアルゴリズムのステップは、非一時的コンピュータ可読またはプロセッサ可読記憶媒体上に常駐することができるプロセッサ実行可能命令において具体化されてもよい。非一時的なコンピュータ可読記憶媒体またはプロセッサ可読記憶媒体は、コンピュータまたはプロセッサによってアクセスされる場合がある任意の記憶媒体であってよい。限定ではなく例として、そのような非一時的コンピュータ可読記憶媒体または非一時的プロセッサ可読記憶媒体は、RAM、ROM、EEPROM、フラッシュメモリ、CD-ROMもしくは他の光ディスク(disc)ストレージ、磁気ディスク(disk)ストレージもしくは他の磁気ストレージデバイス、あるいは命令もしくはデータ構造の形で所望のプログラムコードを記憶するのに使用でき、コンピュータによってアクセスできる任意の他の媒体を含んでもよい。本明細書で使用されるディスク(disk)およびディスク(disc)は、コンパクトディスク(disc)(CD)、レーザディスク(disc)、光ディスク(disc)、デジタル多用途ディスク(disc)(DVD)、フロッピーディスク(disk)、およびblu-rayディスク(disc)を含み、ディスク(disk)は通常、データを磁気的に再生し、ディスク(disc)は、レーザを用いて光学的にデータを再生する。上記の組合せもまた、非一時的なコンピュータ可読およびプロセッサ可読媒体の範囲内に含まれる。加えて、方法またはアルゴリズムの動作は、コンピュータプログラム製品に組み込まれてもよい非一時的プロセッサ可読記憶媒体および/またはコンピュータ可読記憶媒体上にコードおよび/または命令の1つまたは任意の組合せまたはセットとして常駐してもよい。
【００４８】
本開示は、いくつかの実施形態例および適用例を提供するが、本明細書に記載した特徴および利点のすべてを提供するとは限らない実施形態を含む、当業者には明らかである他の実施形態もまた、本開示の範囲内である。したがって、本開示の範囲は、添付の特許請求の範囲を参照することによってのみ定義されるものとする。
【符号の説明】
【００４９】
100  ワイヤレスデバイス
105  アンテナ
110  アンテナ
115  RFスイッチ
150  GSMトランシーバ
155  WCDMAトランシーバ
160  GSM無線アクセス技術ベースバンドプロセッサ
165  WCDMA無線アクセス技術ベースバンドプロセッサ
170  制御ユニット
200  ワイヤレスデバイス
215  スイッチ
【図１】
2017515328.tif 000003
【図２】
2017515328.tif 000004
【図３】
2017515328.tif 000005
【図４】
2017515328.tif 000006
【手続補正書】
【提出日】平成28年9月21日(2016.9.21)
【手続補正１】
【補正対象書類名】明細書
【補正対象項目名】００４１
【補正方法】変更
【補正の内容】
【００４１】
いくつかの実施形態について説明したが、これらの実施形態は、単に例として提示されており、保護の範囲を限定するものではない。本明細書で説明する装置、方法、およびシステムは、様々な他の形で具体化されてよい。
【手続補正２】
【補正対象書類名】明細書
【補正対象項目名】００４２
【補正方法】変更
【補正の内容】
【００４２】
たとえば、本明細書で開示する例示的な装置、方法、およびシステムは、複数の通信ネットワークおよび/または通信技術に加入するマルチSIMワイヤレスデバイスに適用されることが可能である。図に示した様々な構成要素は、たとえば、限定はしないが、プロセッサ、ASIC/FPGA/DSP、または専用ハードウェア上にソフトウェアおよび/またはファームウェアとして実装されてよい。また、上記に開示する特定の実施形態例の特徴および特質は、さらなる実施形態を形成するために異なる方法で組み合わされてもよく、その実施形態のすべてが、本開示の範囲内に入る。
【手続補正３】
【補正対象書類名】特許請求の範囲
【補正対象項目名】全文
【補正方法】変更
【補正の内容】
【特許請求の範囲】
【請求項１】
第1の無線アクセス技術に従って送受信するように構成される第1の無線機であって、第1のベースバンドプロセッサを備える、第1の無線機と、
前記第1の無線アクセス技術とは異なる第2の無線アクセス技術に従って送受信するように構成される第2の無線機であって、第2のベースバンドプロセッサを備える、第2の無線機と、
前記第1の無線機に割り当てられた第1のアンテナおよび前記第2の無線機に割り当てられた第2のアンテナであって、前記第1のアンテナおよび前記第2のアンテナが、前記第1の無線機および前記第2の無線機に接続するように各々構成可能である、第1のアンテナおよび第2のアンテナと、
前記第1のアンテナおよび前記第2のアンテナの前記第1の無線機および第2の無線機への接続を構成するためにスイッチを制御するように構成される制御ユニットであって、
前記第2のアンテナを介して前記第2の無線機によって、所定のしきい値を下回る信号を受信することに応答して、前記第2のアンテナから前記第2の無線機を切断するために前記スイッチを制御することと、
前記第1の無線機を現在のモードに維持することと、
前記第2の無線アクセス技術と関連するウェイクアップ期間中に前記第1のアンテナに前記第2の無線機を接続するために前記スイッチを制御することとを行うように構成され、前記第2の無線機が、前記第2の無線アクセス技術を使用してネットワークから前記第1のアンテナを介して信号を受信する、制御ユニットと
を備える、ワイヤレスデバイス。
【請求項２】
前記第2の無線機が前記第2のアンテナから切断されたときにアイドルモードでない場合、前記制御ユニットが、前記第2の無線機をアイドルモードに設定するようにさらに構成される、請求項1に記載のワイヤレスデバイス。
【請求項３】
前記第2の無線アクセス技術と関連する前記ウェイクアップ期間中に、前記制御ユニットが、
前記第1の無線機を前記第1のアンテナから切断するために前記スイッチを制御し、
前記第2の無線アクセス技術と関連する前記ウェイクアップ期間の終わりに、前記第1の無線機を前記第1のアンテナに再接続するために前記スイッチを制御する
ようにさらに構成される、請求項1に記載のワイヤレスデバイス。
【請求項４】
前記第1の無線機の前記受信信号が前記所定のしきい値を下回るが、第2の所定のしきい値を上回ると判定される場合、前記制御ユニットが、1つまたは複数のウェイクアップ期間をスキップするために前記第2の無線機を制御するようにさらに構成される、請求項1に記載のワイヤレスデバイス。
【請求項５】
前記制御ユニットが、前記第2の無線機が前記第2の無線アクセス技術と関連するウェイクアップ期間中にしきい値を超える信号受信を有する信号を受信することに応答して、前記第1のアンテナから前記第2の無線機を切断するとともに、次のウェイクアップ期間中に前記第2のアンテナで受信するために前記第2のアンテナに前記第2の無線機を接続するために前記スイッチを制御するようにさらに構成される、請求項1に記載のワイヤレスデバイス。
【請求項６】
前記制御ユニットが、前記第2の無線機が前記次のウェイクアップ期間中に前記第2のアンテナを介してしきい値を超える信号受信を有する信号を受信することに応答して、前記第2のアンテナへの前記第2の無線機の前記接続を維持するようにさらに構成される、請求項5に記載のワイヤレスデバイス。
【請求項７】
前記第1の無線アクセス技術が、広帯域符号分割多元接続(WCDMA)およびモバイル通信用グローバルシステム(GSM)のうちの一方であり、前記第2の無線アクセス技術が、WCDMAおよびGSMのうちの他方である、請求項1に記載のワイヤレスデバイス。
【請求項８】
第1の無線アクセス技術と関連する第1の無線機および前記第1の無線アクセス技術とは異なる第2の無線アクセス技術と関連する第2の無線機を有するワイヤレスデバイスにおけるアンテナ選択のための方法であって、前記第1の無線機および前記第2の無線機の各々がベースバンドプロセッサを備え、前記方法が、
前記第2の無線機に割り当てられたアンテナを介して受信される信号が所定のしきい値を下回るかどうかを判定するステップと、
前記受信信号が前記所定のしきい値を下回っていると判定することに応答して、前記第2の無線機を前記第2の無線機に割り当てられたアンテナから切断するステップと、
前記第1の無線機を現在のモードに維持するステップと、
前記第2の無線アクセス技術と関連するウェイクアップ期間中に前記第1の無線機に割り当てられた前記アンテナに前記第2の無線機を接続するステップであって、前記第2の無線機が、前記第2の無線アクセス技術を使用してネットワークから前記第1のアンテナを介して信号を受信する、ステップと
を含む、方法。
【請求項９】
前記第2の無線機を前記第2の無線機に割り当てられた前記アンテナから切断するステップが、前記第2の無線機がアイドルモードでない場合、前記第2の無線機をアイドルモードに設定するステップをさらに含む、請求項8に記載の方法。
【請求項１０】
前記第2の無線アクセス技術と関連する前記ウェイクアップ期間中に前記第1の無線機に割り当てられた前記アンテナに前記第2の無線機を接続するステップが、
前記第1の無線機を前記第1の無線機に割り当てられた前記アンテナから切断するステップと、
前記第2の無線アクセス技術と関連する前記ウェイクアップ期間の終わりに、前記第1の無線機を前記第1の無線機に割り当てられた前記アンテナに再接続するステップと
を含む、請求項8に記載の方法。
【請求項１１】
前記第1の無線機の前記受信信号が前記所定のしきい値を下回るが、第2の所定のしきい値を上回ると判定される場合、1つまたは複数のウェイクアップ期間をスキップするステップをさらに含む、請求項8に記載の方法。
【請求項１２】
前記第2の無線アクセス技術と関連する前記ウェイクアップ期間中にしきい値を超える信号受信を有する信号を受信することに応答して、前記第1の無線機に割り当てられた前記アンテナから前記第2の無線機を切断するステップと、
次のウェイクアップ期間中に受信するために前記第2の無線機を前記第2の無線機に割り当てられた前記アンテナに再接続するステップと
をさらに含む、請求項8に記載の方法。
【請求項１３】
前記第2の無線機が前記次のウェイクアップ期間中にその割り当てられたアンテナを介してしきい値を超える受信信号を有する信号を受信することに応答して、前記第2の無線機に割り当てられた前記アンテナへの前記第2の無線機の前記接続を維持するステップをさらに含む、請求項12に記載の方法。
【請求項１４】
前記第1の無線機が、第1の無線アクセス技術に従って送受信するように構成され、
前記第2の無線機が、第2の無線アクセス技術に従って送受信するように構成される、
請求項8に記載の方法。
【請求項１５】
前記第1の無線アクセス技術が、広帯域符号分割多元接続(WCDMA)およびモバイル通信用グローバルシステム、GSMのうちの一方であり、前記第2の無線アクセス技術が、WCDMAおよびGSMのうちの他方である、請求項8に記載の方法。
【請求項１６】
第1のベースバンドプロセッサを備える第1の無線機であって、第1の無線アクセス技術に従って送受信するように構成される第1の無線機と、
第2のベースバンドプロセッサを備える第2の無線機であって、前記第1の無線アクセス技術とは異なる第2の無線アクセス技術に従って送受信するように構成される第2の無線機と、
前記第1の無線機および前記第2の無線機にそれぞれ割り当てられた第1のアンテナおよび第2のアンテナと、
所定のしきい値を下回る信号を、前記第2のアンテナを介して前記第2の無線機によって受信することに応答して、前記第1および第2のアンテナの前記第1および第2の無線機への接続を構成するためにスイッチを制御する動作を行うように構成される制御ユニットであって、
前記第2のアンテナから前記第2の無線機を切断するために前記スイッチを制御することと、
前記第2の無線機がアイドルモードでない場合、前記第2の無線機をアイドルモードに設定することと、
前記第2の無線アクセス技術と関連するウェイクアップ期間中に、前記第2の無線機を前記第1のアンテナに接続するために前記スイッチを制御することであって、前記第2の無線機が、前記第2の無線アクセス技術を使用してネットワークから前記第1のアンテナを介して信号を受信する、制御することと、
前記第2の無線アクセス技術と関連する前記ウェイクアップ期間中に、前記第1の無線機を前記第1のアンテナから切断するために前記スイッチを制御することと
を行うように構成される、制御ユニットと
を備える、ワイヤレスデバイス。
【請求項１７】
前記制御ユニットが、前記第2の無線機が前記第2の無線アクセス技術と関連するウェイクアップ期間中にしきい値を超える信号受信を有する信号を受信することに応答して、前記第1のアンテナから前記第2の無線機を切断するとともに、次のウェイクアップ期間中に前記第2のアンテナで受信するために前記第2のアンテナに前記第2の無線機を接続するようにさらに構成される、請求項16に記載のワイヤレスデバイス。
【請求項１８】
前記制御ユニットが、前記第2の無線機が前記次のウェイクアップ期間中に前記第2のアンテナを介してしきい値を超える信号受信を有する信号を受信することに応答して、前記第2のアンテナへの前記第2の無線機の前記接続を維持するようにさらに構成される、請求項17に記載のワイヤレスデバイス。
【請求項１９】
前記第1の無線機の前記受信信号が前記所定のしきい値を下回るが、第2の所定のしきい値を上回ると判定される場合、前記制御ユニットが、1つまたは複数のウェイクアップ期間をスキップするために前記第2の無線機を制御するようにさらに構成される、請求項16に記載のワイヤレスデバイス。
【請求項２０】
前記第1の無線アクセス技術が、広帯域符号分割多元接続(WCDMA)およびモバイル通信用グローバルシステム(GSM)のうちの一方であり、前記第2の無線アクセス技術が、WCDMAおよびGSMのうちの他方である、請求項16に記載のワイヤレスデバイス。
【請求項２１】
第1の無線アクセス技術に従って送受信するように構成される第1のベースバンドプロセッサおよび第1のトランシーバと、
第2の無線アクセス技術に従って送受信するように構成される第2のベースバンドプロセッサおよび第2のトランシーバと、
前記第1のトランシーバおよび前記第2のトランシーバにそれぞれ接続された第1のアンテナおよび第2のアンテナと、
前記第1のベースバンドプロセッサおよび前記第2のベースバンドプロセッサならびに前記第1のトランシーバおよび前記第2のトランシーバと結合されるスイッチと、
所定のしきい値を下回る信号を、前記第2のアンテナを介して前記第2のベースバンドプロセッサによって受信することに応答して、前記第1のトランシーバおよび前記第2のトランシーバの、前記第1のベースバンドプロセッサおよび前記第2のベースバンドプロセッサへの接続を構成するために、前記スイッチを制御する動作を行うように構成される制御ユニットであって、
前記第2のベースバンドプロセッサを前記第2のトランシーバから切断するために前記スイッチを制御し、
前記第2のベースバンドプロセッサがアイドルモードでない場合、前記第2のベースバンドプロセッサをアイドルモードに設定し、
前記第2の無線アクセス技術と関連するウェイクアップ期間中に、前記第2のベースバンドプロセッサを前記第1のトランシーバに接続するために前記スイッチを制御し、
前記第2の無線アクセス技術と関連する前記ウェイクアップ期間中に、前記第1のベースバンドプロセッサを前記第1のトランシーバから切断するために前記スイッチを制御する
ように構成される制御ユニットと
を備える、ワイヤレスデバイス。
【請求項２２】
前記制御ユニットが、前記第2の無線機と関連する前記ウェイクアップ期間中に前記第2の無線アクセス技術に従って受信するように前記第1のトランシーバを再構成するようにさらに構成される、請求項21に記載のワイヤレスデバイス。
【請求項２３】
前記制御ユニットが、前記第2のベースバンドプロセッサが前記第2の無線アクセス技術と関連する前記ウェイクアップ期間中にしきい値を超える信号受信を有する信号を受信することに応答して、前記第1のトランシーバから前記第2のベースバンドプロセッサを切断するとともに、次のウェイクアップ期間中に前記第2のアンテナで受信するために前記第2のトランシーバに前記第2のベースバンドプロセッサを接続するために前記スイッチを制御するように構成される、請求項21に記載のワイヤレスデバイス。
【請求項２４】
前記制御ユニットが、前記第2のベースバンドプロセッサが前記次のウェイクアップ期間中に前記第2のアンテナを介してしきい値を超える信号受信を有する信号を受信することに応答して、前記第2のトランシーバへの前記第2のベースバンドプロセッサの前記接続を維持するように構成される、請求項23に記載のワイヤレスデバイス。
【請求項２５】
前記第1の無線機の前記受信信号が前記所定のしきい値を下回るが、第2の所定のしきい値を上回ると判定される場合、前記制御ユニットが、1つまたは複数のウェイクアップ期間をスキップするために前記第2の無線機を制御するように構成される、請求項21に記載のワイヤレスデバイス。
【請求項２６】
前記第1の無線アクセス技術が、前記第2の無線アクセス技術とは異なる、請求項21に記載のワイヤレスデバイス。
【請求項２７】
前記第1の無線アクセス技術が、広帯域符号分割多元接続(WCDMA)およびモバイル通信用グローバルシステム(GSM)のうちの一方であり、前記第2の無線アクセス技術が、WCDMAおよびGSMのうちの他方である、請求項26に記載のワイヤレスデバイス。
【国際調査報告】
2017515328.tif 000007
2017515328.tif 000008
2017515328.tif 000009